(57)【要約】並列した複数台の画像表示装置の境界面で生じる動画のずれを小さく抑えるため、本発明の画像表示装置（１）は、画像データを水平方向及び垂直方向に表示する液晶表示部（１５）と、他画像表示装置から出力された位置情報信号の入力の有無を検出する検出部（１１）と、検出結果に応じて位置情報信号を出力する赤外線送信部（１３）と、検出結果に応じて液晶表示部（１５）に対して垂直表示の向きの切り替えを指示する表示方向切替制御部（１４）と、検出結果に応じて画像ラインの送信順序を切り替えて、入力した画像データを表示部に対して送信する画像データ送信切り替え部（１６）と、を備える。
2014010059.tif 000002
【特許請求の範囲】
【請求項１】
画像データを水平方向及び垂直方向に表示する表示部と、
他画像表示装置から出力された所定の位置情報信号の入力の有無を検出する検出部と、
前記検出部による検出結果に応じて自画像表示装置から位置情報信号を出力するか否かを指示する信号出力制御部と、
前記信号出力制御部が位置情報信号を出力するよう指示している場合に位置情報信号を出力する信号出力部と、
前記検出部による検出結果に応じて前記表示部に対して垂直表示の向きの切り替えを指示する表示方向切替制御部と、
前記画像データを入力する画像データ入力部と、
前記検出部による検出結果に応じて画像ライン毎の送信順序を切り替えて、前記画像データ入力部が入力した画像データを前記表示部に対して送信する画像データ送信切り替え部と、
を備えることを特徴とする画像表示装置。
【請求項２】
前記位置情報信号が光無線信号であり、
前記検出部が、前記表示部の垂直方向における一方の向きから入射する所定の光無線信号の有無を前記位置情報信号の入力の有無として検出するものであり、
前記信号出力部が、前記表示部の垂直方向における他方の向きから所定の光無線信号を出射することで、前記位置情報信号を出力するものである
ことを特徴とする請求項１に記載の画像表示装置。
【請求項３】
前記位置情報信号が有線信号であり、
前記検出部が、前記表示部の垂直方向における一方の向きに対応付けられた所定の入力端子から入力される所定の有線信号の有無を前記位置情報信号の入力の有無として検出するものであり、
前記信号出力部が、前記表示部の垂直方向における他方の向に対応付けられた所定の出力端子から所定の有線信号を出力することで、前記位置情報信号を出力するものである
ことを特徴とする請求項１に記載の画像表示装置。
【請求項４】
画像データを水平方向及び垂直方向に表示する表示部と、
他画像表示装置から出力された所定の位置情報信号の入力の有無を検出する検出部と、
前記検出部による検出結果に応じて自画像表示装置から位置情報信号を出力するか否かを指示する信号出力制御部と、
前記信号出力制御部が位置情報信号を出力するよう指示している場合に位置情報信号を出力する信号出力部と、
前記検出部による検出結果に応じて前記表示部に対して垂直表示の向きの切り替えを指示する表示方向切替制御部と、
前記画像データを入力する画像データ入力部と、
前記検出部による検出結果に応じて画像ライン毎の送信順序を切り替えて、前記画像データ入力部が入力した画像データを前記表示部に対して送信する画像データ送信切り替え部と、
を備える画像表示装置を、
複数備え、かつ、
前記複数の画像表示装置を前記垂直表示の向きに複数並べることで構成されている
ことを特徴とする画像表示システム。
【請求項５】
画像データを水平方向及び垂直方向に表示する表示部と、
他画像表示装置から出力された所定の位置情報信号の入力の有無を検出する検出部と、
前記信号出力制御部が位置情報信号を出力するよう指示している場合に位置情報信号を出力する信号出力部と、
前記画像データを入力する画像データ入力部と
を用い、
前記検出部による検出結果に応じて自画像表示装置から位置情報信号を出力するか否かを指示する過程と、
前記検出部による検出結果に応じて前記表示部に対して垂直表示の向きの切り替えを指示する過程と、
前記検出部による検出結果に応じて画像ラインの送信順序を切り替えて、前記画像データ入力部が入力した画像データを前記表示部に対して送信する過程と、
を含むことを特徴とする画像表示方法。
【発明の詳細な説明】
【技術分野】
【０００１】
本発明は、画像表示装置、画像表示システム及び画像表示方法に関する。
【背景技術】
【０００２】
近年、液晶表示装置などの画像表示装置を数枚組み合わせたマルチタイリングにより、ひとつの画像を大画面で表示する用途が多くなってきている（特許文献１）。このような用途においては、静止画ばかりでなく、動画を表示するケースが多々ある。この様なマルチタイリングにおいて動画表示を行うと上下に並んで接続された画像表示装置の境界面においては、上側の画像表示装置と下側の画像表示装置でずれが発生するという課題がある。
【先行技術文献】
【特許文献】
【０００３】
【特許文献１】特開２００５−８６５９２号公報
【発明の概要】
【発明が解決しようとする課題】
【０００４】
ここで、図６及び図７を参照して上記の課題について詳細に説明する。図６及び図７は、本発明が解決しようとする課題を説明するために本出願人において作成した図面である。図６（ａ）は画像表示装置１０１の表示部１１５を模式的に示した正面図である。図６（ｂ）は４台の画像表示装置１０１ａ、１０１ｂ、１０１ｃ及び１０１ｄを備えたマルチタイリングの画像表示システム１１８を模式的に示した正面図である。【０００５】
図６（ａ）に示した例では、画像表示装置１０１の表示部１１５は、上端の１ラインから下端の１０８０ラインまでの１０８０本の画像ラインを有している。以下、画像ラインをラインと記載することもある。また、各ラインは、表示方向１２０に表示される。すなわち、図６（ａ）に示した画像表示装置１０１では画像データが一定の周期で上から下へ順次表示される。この場合、画像表示装置１０１の一番上側のラインは１番目にデータが表示され、一番下側のラインは１０８０番目にデータが表示される。そして、各ラインの画像データは、次の画像データが表示されるまで１フレーム分保持される。【０００６】
一方、図６（ｂ）に示した画像表示システム１１８では、図６（ａ）に示した画像表示装置１０１（ただし、図６（ｂ）では画像表示装置１０１ａから１０１ｄと表示している）４台が上下に並べられている。この場合、画像表示システム１１８では、表示部１１５ａの表示方向１２０ａ、表示部１１５ｂの表示方向１２０ｂ、表示部１１５ｃの表示方向１２０ｃ、及び表示部１１５ｄの表示方向１２０ｄの方向及び向きはすべて同一である。【０００７】
次に、図７を参照して、図６に示した画像表示システム１１８における動画の表示例について説明する。図７（ａ）は画像表示装置１０１の表示部１１５に表示する画像データの一例を模式的に示した正面図である。図７（ｂ）は図７（ａ）に示した縦線１３０を矢印の移動方向でその向きに移動させた場合の画像表示システム１１８における動画の表示状態を模式的に示した正面図である。【０００８】
図７（ｂ）に示したように、複数の画像表示装置１０１を上下に重ねて動画を表示した場合、上から下まで１０８０ラインある画像表示装置１０１の場合、上側の画像表示装置１０１（例えば画像表示装置１０１ａ）の一番下側のラインは１０８０番目にデータが表示され１フレーム分保持される。一方で下側の画像表示装置（例えば画像表示装置１０１ｂ）の上側の画像表示装置１０１（この例では画像表示装置１０１ａ）と接した１番目のラインは１番目にデータが表示される。すなわち、各表示部１１５ａ、１１５ｂ、１１５ｃ及び１１５ｄで表示される縦線１３０ａ、１３０ｂ、１３０ｃ及び１３０ｄは、１０８０番目のラインが１番目のラインよりも進行の向き１３０ａから１３０ｄに対して最大１フレーム分遅れて表示される。そのため、ため、上下に並んだ画像表示装置１０１（この例では画像表示装置１０１ａ）と画像表示装置１０１（この例では画像表示装置１０１ｂ）とでは境界面で画像にずれが生じてしまう。すなわち、１番上の画像表示装置１０１ａと２番目の画像表示装置１０１ｂ、２番目の画像表示装置１０１ｂと３番目の画像表示装置１０１ｃ、及び３番目の画像表示装置１０１ｃと４番目の画像表示装置１０１ｄでは、境界面で画像にずれが生じてしまうことになる。【０００９】
本発明は、上記の事情を考慮してなされたものであり、並列した少なくとも２台の画像表示装置の境界面で生じる動画のずれを小さく抑えることができる画像表示装置、画像表示システム及び画像表示方法を提供することを目的とする。
【課題を解決するための手段】
【００１０】
上記課題を解決するため、本発明の一態様である画像表示装置は、画像データを水平方向及び垂直方向に表示する表示部と、他画像表示装置から出力された所定の位置情報信号の入力の有無を検出する検出部と、前記検出部による検出結果に応じて自画像表示装置から位置情報信号を出力するか否かを指示する信号出力制御部と、前記信号出力制御部が位置情報信号を出力するよう指示している場合に位置情報信号を出力する信号出力部と、前記検出部による検出結果に応じて前記表示部に対して垂直表示の向きの切り替えを指示する表示方向切替制御部と、前記画像データを入力する画像データ入力部と、前記検出部による検出結果に応じて画像ライン毎の送信順序を切り替えて、前記画像データ入力部が入力した画像データを前記表示部に対して送信する画像データ送信切り替え部と、を備えることを特徴とする。【００１１】
また、本発明の一態様である画像表示システムは、画像データを水平方向及び垂直方向に表示する表示部と、他画像表示装置から出力された所定の位置情報信号の入力の有無を検出する検出部と、前記検出部による検出結果に応じて自画像表示装置から位置情報信号を出力するか否かを指示する信号出力制御部と、前記信号出力制御部が位置情報信号を出力するよう指示している場合に位置情報信号を出力する信号出力部と、前記検出部による検出結果に応じて前記表示部に対して垂直表示の向きの切り替えを指示する表示方向切替制御部と、前記画像データを入力する画像データ入力部と、前記検出部による検出結果に応じて画像ライン毎の送信順序を切り替えて、前記画像データ入力部が入力した画像データを前記表示部に対して送信する画像データ送信切り替え部と、を備える画像表示装置を、
複数備え、かつ、前記複数の画像表示装置を前記垂直表示の向きに複数並べることで構成されていることを特徴とする。【００１２】
また、本発明の一態様である画像表示方法は、画像データを水平方向及び垂直方向に表示する表示部と、他画像表示装置から出力された所定の位置情報信号の入力の有無を検出する検出部と、前記信号出力制御部が位置情報信号を出力するよう指示している場合に位置情報信号を出力する信号出力部と、前記画像データを入力する画像データ入力部とを用い、前記検出部による検出結果に応じて自画像表示装置から位置情報信号を出力するか否かを指示する過程と、前記検出部による検出結果に応じて前記表示部に対して垂直表示の向きの切り替えを指示する過程と、前記検出部による検出結果に応じて画像ラインの送信順序を切り替えて、前記画像データ入力部が入力した画像データを前記表示部に対して送信する過程と、を含むことを特徴とする。
【発明の効果】
【００１３】
本発明の画像表示装置を例えば垂直方向に複数並べた場合、例えば下から数えて奇数番目の画像表示装置の垂直表示の向きを上から下に、そして、下から数えて偶数番目の画像表示装置の垂直表示の向きを下から上にというように互いに異なる向きに設定することができる。この場合、奇数番目の画像表示装置と偶数番目の画像表示装置との境界面の表示ラインの表示順序を一致させることができる。よって、並列した少なくとも２台以上の画像表示装置の境界面で生じる動画のずれを小さく抑えることができる。
【図面の簡単な説明】
【００１４】
【図１】本発明による画像表示装置の一実施形態の構成を示したブロック図である。
【図２】図１に示した画像表示装置１の外観構成例を模式的に示した正面図である。
【図３】図１に示した画像表示装置１の動作例を説明するための説明図である。
【図４】図１に示した画像表示装置１の動作例を説明するための正面図である。
【図５】図１に示した画像表示装置１の動作例を説明するための正面図である。
【図６】本発明が解決しようとした課題を説明するための説明図である。
【図７】本発明が解決しようとした課題を説明するための説明図である。
【発明を実施するための形態】
【００１５】
以下、図面を参照して本発明による画像表示装置の一実施形態について説明する。図１は、本発明による画像表示装置の一実施形態の構成を示したブロック図である。本実施形態の画像表示装置１は、液晶表示装置として構成されている。画像表示装置１は、検出部１１、赤外線制御部１２、赤外線送信部１３、表示方法切替制御部１４、液晶表示部１５、画像データ送信切り替え部１６及び画像データ入力部１７を備えている。ただし、本発明の画像表示装置１は液晶表示装置として構成する場合に限らず、他の表示媒体などを用いた表示装置として構成することもできる。
【００１６】
検出部１１は、他の画像表示装置１の赤外線送信部１３から送信された所定の位置情報信号の入力の有無を検出する。ここで、所定の位置情報信号は、例えば、所定のデータを表す赤外線変調信号などの光無線信号である。検出部１１は、入射した赤外線信号を電気信号に変換する光電気変換素子とその出力信号に基づいて所定の位置情報信号が入力されているか否かを判定する処理を行うための信号処理回路などから構成することができる。検出部１１は、他の画像表示装置１の赤外線送信部１３から送信された所定の位置情報信号の入力の有無を検出結果として示す信号を、赤外線制御部１２、表示方向切替制御部１４及び画像データ送信切り替え部１６に対して出力する。
【００１７】
なお、所定の位置情報信号は、赤外線信号に限らず、可視光信号であってもよい。また、近距離通信用の無線信号であってもよい。また、無線信号に限らず、有線信号であってもよい。なお、有線信号とする場合の構成について後述する。
【００１８】
赤外線制御部１２は、検出部１１による所定の位置情報信号の検出結果に応じて自画像表示装置１（すなわち赤外線送信部１３）から位置情報信号を出力するか否かを指示する信号処理回路である。赤外線制御部１２は、検出部１１から所定の位置情報信号の検出ありとの検出結果を示す信号が送られてきた場合に、例えば、赤外線送信部１３に対して、位置情報信号を停止するよう指示する制御信号を出力する。また、赤外線制御部１２は、検出部１１から所定の位置情報信号の検出なしとの検出結果を示す信号が送られてきた場合に、赤外線送信部１３に対して、位置情報信号を出力するよう指示する制御信号を出力する。
【００１９】
赤外線送信部１３は、赤外線制御部１２が位置情報信号を出力するよう指示している場合に所定の位置情報信号を出力する。ここで、所定の位置情報信号は、検出部１１が検出する位置情報信号と同一あるいは同等の赤外線信号であり、例えば、所定のデータを表す赤外線変調信号などの光無線信号である。赤外線送信部１３から出力された位置制御信号は、他の画像表示装置１の検出部１１が入力の有無を検出する信号となる。
【００２０】
表示方法切替制御部１４は、検出部１１による検出結果に応じて液晶表示部１５に対して垂直表示の向きの切り替えを指示する信号処理回路である。表示方法切替制御部１４は、検出部１１から所定の位置情報信号の検出ありとの検出結果を示す信号が送られてきた場合に、液晶表示部１５に対して、例えば、画像の表示方向を下から上にするよう指示する信号を出力する。また、表示方法切替制御部１４は、検出部１１から所定の位置情報信号の検出なしとの検出結果を示す信号が送られてきた場合に、液晶表示部１５に対して、例えば画像の表示方向を上から下にするよう指示する信号を出力する。
【００２１】
液晶表示部１５は、液晶パネル、その駆動制御回路などから構成されていて、画像データ送信切り替え部１６から受信した画像データに基づいて、水平及び垂直に表示しながら当該画像データに基づいた画像を表示する。また、液晶表示部１５は、表示方法切替制御部１４から入力した垂直表示の向きの切り替えを指示する信号に基づき、画像表示方向を下から上又は上から下のいずれかに切り替えて画像表示を行う。
【００２２】
画像データ送信切り替え部１６は、検出部１１による所定の位置情報信号の検出結果に応じて、画像データ入力部１７に入力された画像データのライン毎の送信順序を切り替えて、液晶表示部１５へ送信する信号処理回路である。画像データ送信切り替え部１６は、検出部１１から所定の位置情報信号の検出ありとの検出結果を示す信号が送られてきた場合に、例えば、ライン毎の画像データを、垂直方向の下から上への順序で液晶表示部１５に対して送信する。また、画像データ送信切り替え部１６は、検出部１１から所定の位置情報信号の検出なしとの検出結果を示す信号が送られてきた場合に、例えば、ライン毎の画像データを、垂直方向の上から下への順序で液晶表示部１５に対して送信する。
【００２３】
画像データ入力部１７は、液晶表示部１５で表示する画像データを入力し、画像データ送信切り替え部１６へ出力する。画像データ入力部１７は、画像表示装置１の内部に設けられている図示していない所定の記憶装置や、着脱自在の記憶媒体などから画像データを入力することができる。また、画像データ入力部１７は、所定の入力端子に接続された画像データの伝送ケーブルや、画像表示装置１の内部に設けられている図示していない所定の通信部を用いることで所定の通信網を介して画像データを入力することができる。また、伝送ケーブルや、所定の通信網を介して画像データを入力する場合には、画像データは外部の画像データ再生装置や他の画像表示装置１から供給することができる。
【００２４】
次に、図２を参照して、図１に示した画像表示装置１の外観構成例について説明する。図２では、図１で用いたものと同一又は対応する構成に対して同一の参照符号を用いている。図２に示したように、画像表示装置１は、正面に液晶表示部１５の表示面を有し、検出部１１と赤外線送信部１３の一部（又は全部）を画像表示装置１の筐体外部に設けている。検出部１１と赤外線送信部１３は、少なくとも受光面又は出射面を筐体外部に設けている。この場合、受光面又は出射面は、筐体外部に凸部を有するように設けられていてもよい。あるいは、受光面又は出射面は、例えば筐体外部に設けられた凹部に設けられ、あるいは面位置を同一とすることで、筐体外周面から外にはみ出すような凸部を有していなくてもよい。この場合、検出部１１は、液晶表示部１５の垂直方向の一方の向きから入射する位置情報信号（破線の矢印で示した）の入力の有無を検出する。また、赤外線送信部１３は、液晶表示部１５の垂直方向の他方の向きから位置情報信号（破線の矢印で示した）を出力する。また、検出部１１と赤外線送信部１３とは、図５に示したように他の画像表示装置１と垂直表示方向に並べて設置された場合、互いに対向し、検出部１１から出力された赤外線信号が赤外線送信部１３で受信されるように配置されている。なお、図２に示したように、本実施形態では、液晶表示部１５の左右が水平表示方向であり、上下が垂直表示方向である。
【００２５】
図３を参照して、図１に示した画像表示装置１内の信号処理の流れについて説明する。図３では、図１で用いたものと同一又は対応する構成に対して同一の参照符号を用いている。また、図３では、検出部１１、赤外線制御部１２、表示方法切替制御部１４又は画像データ送信切り替え部１６が行う処理を、先頭に英字「Ｓ」を用いた参照符号で示している。なお、画像表示装置１は、図５に示したように複数の画像表示装置１を垂直表示の方向に複数並べられた状態で使用されたり、図４に示したように各画像表示装置１が独立して動作する状態で使用されたりすることができる。
【００２６】
図３に示したように、位置情報信号である赤外線信号の、検出部１１による受信状態は、赤外線受信あり（Ｓ１１）又は赤外線受信なし（Ｓ２１）のどちらかになる。検出部１７は、赤外線信号の受信状態が受信ありの場合（Ｓ１１）、図５に示したような配置において自画像表示装置１が下から数えて偶数段に設置されていると判断する（Ｓ１２）。この場合、検出部１1は、赤外線制御部１２、表示方法切替制御部１４及び画像データ送信切り替え部１６に向けて、位置情報信号の検出ありとの検出結果を示す信号を出力する。
【００２７】
検出部１１から位置情報信号の検出ありとの検出結果を示す信号を入力すると、赤外線制御部１２は、赤外線信号の出力を停止する（Ｓ１３）。また、検出部１１から位置情報信号の検出ありとの検出結果を示す信号を入力すると、表示方法切替制御部１４は、画像の表示方向を下から上に切り替える所定の信号を液晶表示部１５に対して出力する（Ｓ１４）。また、検出部１１から位置情報信号の検出ありとの検出結果を示す信号を入力すると、画像データ送信切り替え部１６は、画像データの送信順序を下から上に切り替え、以後の液晶表示部１５に対する画像データの出力をこの順序で繰り返し行う（Ｓ１５）。
【００２８】
他方、検出部１１で、赤外線信号の受信状態が受信なしとされた場合（Ｓ２１）、図５に示したような配置において自画像表示装置１が下から数えて奇数段に設置されていると判断する（Ｓ２２）。この場合、検出部１１は、赤外線制御部１２、表示方法切替制御部１４及び画像データ送信切り替え部１６に向けて、位置情報信号の検出なしとの検出結果を示す信号を出力する。
【００２９】
検出部１１から位置情報信号の検出なしとの検出結果を示す信号を入力すると、画像データ送信切り替え部１６は、画像データの送信順序を上から下に切り替え、以後の液晶表示部１５に対する画像データの出力をこの順序で繰り返し行う（Ｓ２３）。また、検出部１１から位置情報信号の検出なしとの検出結果を示す信号を入力すると、表示方法切替制御部１４は、画像の表示方向を上から下に切り替える所定の信号を液晶表示部１５に対して出力する（Ｓ２４）。また、検出部１１から位置情報信号の検出なしとの検出結果を示す信号を入力すると、赤外線制御部１２は、赤外線信号の出力を開始（又はすでに開始している場合には継続）する（Ｓ２５）。
【００３０】
次に、図４及び図５を参照して、図１に示した画像表示装置１を複数台用いる場合の動作例について説明する。図４は、各画像表示装置１が、位置情報信号が到達可能な距離を超える間隔で設置された場合を示している。図５は、各画像表示装置１が液晶表示部１５の垂直表示の方向に複数並べた場合を示している。図５の設置例では、各画像表示装置１が、位置情報信号が到達可能な距離以内の間隔で設置されている。なお、図４及び図５では、図２で用いた参照符号の末尾に英字「ａ」、「ｂ」、「ｃ」又は「ｄ」を追加することで、同一の構成を示している。ここで、末尾に英字「ａ」が付いた画像表示装置１ａは４台のうち一番上に配置された画像表示装置１である。同様に、画像表示装置１ｂ、１ｃ及び１ｄは、それぞれ上から２番目、３番目及び４番目に配置された画像表示装置１である。また、赤外線送信部１３ａ、１３ｂ、１３ｃ及び１３ｄにおいて、赤外線信号を出力しているものを斜線で網掛けして示している。
【００３１】
図４に示したように、各画像表示装置１ａ、１ｂ、１ｃ及び１ｄが、位置情報信号が到達可能な距離を超える間隔で設置されている場合、各検出部１１ａ、１１ｂ、１１ｃ及び１１ｄは位置情報信号を検出しない。すなわち、検出部１１ａ、１１ｂ、１１ｃ及び１１ｄは、図３では、赤外線受信なし（Ｓ２１）との判定及び奇数段設置判断（Ｓ２２）の処理を行う。したがって、各赤外線制御部１２が赤外線信号出力（Ｓ２５）となり、赤外線送信部１３ａ、１３ｂ、１３ｃ及び１３ｄは、赤外線信号を出力する（網掛け状態となる）。また、矢印２０ａ、２０ｂ、２０ｃ及び２０ｄで示したように、各画像データ送信切り替え部１２によって画像データが上から下に（Ｓ２３）、そして、各表示方向切り替え制御部１４によって画像表示方向が上から下に（Ｓ２４）、制御される。この場合、図７（ａ）を参照して説明したような縦線１３０を移動させる動画を表示すると、図７（ｂ）に示したものと同様に、各画像表示装置１ａ、１ｂ、１ｃ及び１ｄで同一の表示状態となる。ただし、各画像表示装置１ａ、１ｂ、１ｃ及び１ｄは、図７（ｂ）の各画像表示装置１０１ａ、１０１ｂ、１０１ｃ及び１０１ｄと異なり、一定の距離以上離間して設置されている。
【００３２】
一方、図５に示したように、各画像表示装置１ａ、１ｂ、１ｃ及び１ｄが、位置情報信号が到達可能な距離内に設置されている場合、一番下の赤外線送信部１３ｄ及びその２段上の赤外線送信部１３ｂが赤外線信号を出力し（網掛け状態となり）、一番上の赤外線送信部１３ａ及び３段目の赤外線送信部１３ｃが赤外線信号を出力しない（網掛け状態なしとなる）。
【００３３】
すなわち、一番下の赤外線送信部１３ｄは、赤外線受信なし（Ｓ２１）となり、検出部１１ｄによって画像表示装置１ｄは下から数えて奇数段目に設置されていると判断される（Ｓ２２）。また、赤外線送信部１３ｄは赤外線信号を出力する（Ｓ２５）。また、矢印２１ｄで示したように、画像データ送信切り替え部１６によって画像データが上から下に（Ｓ２３）、そして、表示方向切り替え制御部１４によって画像表示方向が上から下に（Ｓ２４）、制御される。
【００３４】
次に、下から２番目の画像表示装置１ｃは、検出部１１ｃが赤外線送信部１３ｄから出力された赤外線信号を検出する（Ｓ１１）。この場合、検出部１１ｃによって画像表示装置１ｃは下から数えて偶数段目に設置されていると判断される（Ｓ１２）。また、赤外線送信部１３ｃは赤外線信号を停止する（Ｓ１３）。また、矢印２１ｃで示したように、表示方向切り替え制御部１４によって画像表示方向が下から上に（Ｓ１４）、そして、画像データ送信切り替え部１６によって画像データが下から上に（Ｓ１５）、制御される。
【００３５】
次に、下から３番目の赤外線送信部１３ｂは、赤外線受信なし（Ｓ２１）となり、検出部１１ｂによって画像表示装置１ｂは下から数えて奇数段目に設置されていると判断される（Ｓ２２）。また、赤外線送信部１３ｂは赤外線信号を出力する（Ｓ２５）。また、矢印２１ｂで示したように、画像データ送信切り替え部１６によって画像データが上から下に（Ｓ２３）、そして、表示方向切り替え制御部１４によって画像表示方向が上から下に（Ｓ２４）、制御される。
【００３６】
そして、下から４番目の画像表示装置１ａは、検出部１１ａが赤外線送信部１３ｂから出力された赤外線信号を検出する（Ｓ１１）。この場合、検出部１１ａによって画像表示装置１ａは下から数えて偶数段目に設置されていると判断される（Ｓ１２）。また、赤外線送信部１３ａは赤外線信号を停止する（Ｓ１３）。また、矢印２１ａで示したように、表示方向切り替え制御部１４によって画像表示方向が下から上に（Ｓ１４）、そして、画像データ送信切り替え部１６によって画像データが下から上に（Ｓ１５）、制御される。
【００３７】
上記の場合、画像表示装置１ａと画像表示装置１ｂとの境界面と、画像表示装置１ｃと画像表示装置１ｄとの境界面とが、各画像表示装置１ａ、画像表示装置１ｂ、画像表示装置１ｃ及び画像表示装置１ｄにおいて、１ライン目の表示ラインとなる。一方、画像表示装置１ｂと画像表示装置１ｃとの境界面とが、１０８０ライン目の表示ラインとなる。これにより、下から奇数段目の画像表示装置１ｄ及び１ｂの上側表示ラインと、それに接し上側に配置された下から偶数段目の画像表示装置１ｃ及び１ａの下側の表示ラインは画像表示が同時の行われるため表示タイミングは同期される。また同様に下から偶数段目の上側の表示ラインとそれに接して配置された下から奇数段目の表示ラインは１フレームの最後に表示されるため、同様に表示タイミングの同期が取れる。これにより２段以上のマルチタイリングにおいて動画画像を表示した際にも画像のずれが無く表示することが可能になる。このため、図７（ａ）に示した縦線１３０を矢印の移動方向に移動させると、各画像表示装置１ａ、１ｂ、１ｃ及び１ｄの表示部１５ａ、１５ｂ、１５ｃ及び１５ｄで表示される縦線３１ａ、３１ｂ、３１ｃ及び３１ｄは、各境界面で、水平方向でほぼ同一の位置を移動する画像となる。すなわち、各画像表示装置１ａ、１ｂ、１ｃ及び１ｄの各境界面でのずれを無くすことができる。
【００３８】
以上のように、下から１段目の画像データの表示方向は上→下、下から２段目は下→上、下から３段目は上→下、そして、下から４段目は下→上となる。これにより各画像表示装置１の境界面は同じタイミングで画像データが表示されるため動画を表示した際にもずれが生じなくなる。このようにして、本実施形態の画像表示装置１では、画像データの表示方向を変える機能と、偶数段又は奇数段の位置検出用の赤外線送信部及び検出部を設けたることで、複数段に設置されたマルチタイリング用途において動画を表示した際にも、画像表示装置１の境界面において動画ずれが発生することなく画像を表示することが出来る。
【００３９】
なお、上記実施形態では、画像表示装置１の位置の検出に赤外線送信部１３、検出部１１を設けることにより位置の検出を行ったが、無線信号用の赤外線送信部１３及び検出部１１の代わりに、位置情報出力端子、入力端子をそれぞれ持ちそれらをケーブルで接続することでも同様に位置情報を判別することは可能である。この場合、その位置情報出力端子と入力端子とは、液晶表示部１５の垂直表示の方向の一方の向き又は他方の向きのいずれかにそれぞれ対応付けられたものとなる。すなわち、この場合、検出部１１は、液晶表示部１５の垂直表示の方向の一方の向きに対応付けられた所定の入力端子から入力される所定の有線信号の有無を上記の位置情報信号の入力の有無として検出するものとなる。また、赤外線送信部１３に対応する有線信号の信号出力部が、液晶表示部１５の垂直表示の方向の他方の向に対応付けられた所定の信号情報出力端子から所定の有線信号を出力することで、上記の位置情報信号を出力するものとなる。
【００４０】
また、上記の実施形態における画像表示装置１を複数段に重ねたものを連続して横に並べて設置した場合でも効果は同じである。すなわち、縦に並べた複数の画像表示装置１間の各境界面でのずれ低減の効果は変わらない。
【００４１】
また、図１における各部の全部又は一部の機能を実現するためのプログラムをコンピュータ読み取り可能な記録媒体に記録して、この記録媒体に記録されたプログラムをコンピュータシステムに読み込ませ、実行することにより各処理を行ってもよい。なお、ここでいう「コンピュータシステム」とは、ＯＳや周辺機器等のハードウェアを含むものとする。
【００４２】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、サーバやクライアントとなるコンピュータシステム内部の揮発性メモリのように、一定時間プログラムを保持しているものを含むものとする。また上記プログラムは、前述した機能の一部を実現するためのものであっても良く、さらに前述した機能をコンピュータシステムにすでに記録されているプログラムとの組み合わせで実現できるものであってもよい。また、上記のプログラムを所定のサーバに記憶させておき、他の装置からの要求に応じて、当該プログラムを、通信回線を介して配信（ダウンロード等）させるようにしてもよい。
【００４３】
以上、この発明の実施形態について図面を参照して詳述してきたが、具体的な構成はこの実施形態に限られるものではなく、この発明の要旨を逸脱しない範囲の設計等も含まれる。
【００４４】
以上、本発明の実施形態について図面を参照して詳述してきたが、具体的な構成はこの実施形態に限られるものではなく、この発明の要旨を逸脱しない範囲の設計変更等も含まれる。
【００４５】
［付記１］
画像データを水平方向及び垂直方向に表示する表示部と、他画像表示装置から出力された所定の位置情報信号の入力の有無を検出する検出部と、前記検出部による検出結果に応じて自画像表示装置から位置情報信号を出力するか否かを指示する信号出力制御部と、前記信号出力制御部が位置情報信号を出力するよう指示している場合に位置情報信号を出力する信号出力部と、前記検出部による検出結果に応じて前記表示部に対して垂直表示の向きの切り替えを指示する表示方向切替制御部と、前記画像データを入力する画像データ入力部と、前記検出部による検出結果に応じて画像ライン毎の送信順序を切り替えて、前記画像データ入力部が入力した画像データを前記表示部に対して送信する画像データ送信切り替え部と、を備えることを特徴とする画像表示装置。
【００４６】
［付記２］
前記位置情報信号が光無線信号であり、前記検出部が、前記表示部の垂直方向における一方の向きから入射する所定の光無線信号の有無を前記位置情報信号の入力の有無として検出するものであり、前記信号出力部が、前記表示部の垂直方向における他方の向きから所定の光無線信号を出射することで、前記位置情報信号を出力するものであることを特徴とする付記１に記載の画像表示装置。
【００４７】
［付記３］
前記位置情報信号が有線信号であり、前記検出部が、前記表示部の垂直方向における一方の向きに対応付けられた所定の入力端子から入力される所定の有線信号の有無を前記位置情報信号の入力の有無として検出するものであり、前記信号出力部が、前記表示部の垂直方向における他方の向に対応付けられた所定の出力端子から所定の有線信号を出力することで、前記位置情報信号を出力するものであることを特徴とする付記１に記載の画像表示装置。
【００４８】
［付記４］
画像データを水平方向及び垂直方向に表示する表示部と、他画像表示装置から出力された所定の位置情報信号の入力の有無を検出する検出部と、前記検出部による検出結果に応じて自画像表示装置から位置情報信号を出力するか否かを指示する信号出力制御部と、前記信号出力制御部が位置情報信号を出力するよう指示している場合に位置情報信号を出力する信号出力部と、前記検出部による検出結果に応じて前記表示部に対して垂直表示の向きの切り替えを指示する表示方向切替制御部と、前記画像データを入力する画像データ入力部と、前記検出部による検出結果に応じて画像ライン毎の送信順序を切り替えて、前記画像データ入力部が入力した画像データを前記表示部に対して送信する画像データ送信切り替え部と、を備える画像表示装置を、複数備え、かつ、前記複数の画像表示装置を前記垂直表示の向きに複数並べることで構成されていることを特徴とする画像表示システム。
【００４９】
［付記５］
画像データを水平方向及び垂直方向に表示する表示部と、他画像表示装置から出力された所定の位置情報信号の入力の有無を検出する検出部と、前記信号出力制御部が位置情報信号を出力するよう指示している場合に位置情報信号を出力する信号出力部と、前記画像データを入力する画像データ入力部とを用い、前記検出部による検出結果に応じて自画像表示装置から位置情報信号を出力するか否かを指示する過程と、前記検出部による検出結果に応じて前記表示部に対して垂直表示の向きの切り替えを指示する過程と、前記検出部による検出結果に応じて画像ラインの送信順序を切り替えて、前記画像データ入力部が入力した画像データを前記表示部に対して送信する過程と、を含むことを特徴とする画像表示方法。
【符号の説明】
【００５０】
１、１ａ、１ｂ、１ｃ、１ｄ    画像表示装置（画像表示装置）
１１、１１ａ、１１ｂ、１１ｃ、１１ｄ    検出部（検出部）
１２    赤外線制御部（信号出力制御部）
１３、１３ａ、１３ｂ、１３ｃ、１３ｄ    赤外線送信部（信号出力部）
１４    表示方向切替制御部（表示方向切替制御部）
１５、１５ａ、１５ｂ、１５ｃ、１５ｄ    液晶表示部（表示部）
１６    画像データ送信切り替え部（画像データ送信切り替え部）
１７    画像データ入力部（画像データ入力部）
【図１】
2014010059.tif 000003
【図２】
2014010059.tif 000004
【図３】
2014010059.tif 000005
【図４】
2014010059.tif 000006
【図５】
2014010059.tif 000007
【図６】
2014010059.tif 000008
【図７】
2014010059.tif 000009
【手続補正書】
【提出日】平成28年1月6日(2016.1.6)
【手続補正１】
【補正対象書類名】特許請求の範囲
【補正対象項目名】全文
【補正方法】変更
【補正の内容】
【特許請求の範囲】
【請求項１】
画像データを水平方向及び垂直方向に表示する表示部と、
他画像表示装置から出力された所定の位置情報信号の入力の有無を検出する検出部と、
前記検出部による検出結果に応じて自画像表示装置から位置情報信号を出力するか否かを指示する信号出力制御部と、
前記信号出力制御部が位置情報信号を出力するよう指示している場合に位置情報信号を出力する信号出力部と、
前記検出部による検出結果に応じて前記表示部に対して垂直表示の向きの切り替えを指示する表示方向切替制御部と、
前記画像データを入力する画像データ入力部と、
前記検出部による検出結果に応じて画像ライン毎の送信順序を切り替えて、前記画像データ入力部が入力した画像データを前記表示部に対して送信する画像データ送信切り替え部と、
を備えることを特徴とする画像表示装置。
【請求項２】
前記位置情報信号が光無線信号であり、
前記検出部が、前記表示部の垂直方向における一方の向きから入射する所定の光無線信号の有無を前記位置情報信号の入力の有無として検出するものであり、
前記信号出力部が、前記表示部の垂直方向における他方の向きから所定の光無線信号を出射することで、前記位置情報信号を出力するものである
ことを特徴とする請求項１に記載の画像表示装置。
【請求項３】
前記位置情報信号が有線信号であり、
前記検出部が、前記表示部の垂直方向における一方の向きに対応付けられた所定の入力端子から入力される所定の有線信号の有無を前記位置情報信号の入力の有無として検出するものであり、
前記信号出力部が、前記表示部の垂直方向における他方の向に対応付けられた所定の出力端子から所定の有線信号を出力することで、前記位置情報信号を出力するものである
ことを特徴とする請求項１に記載の画像表示装置。
【請求項４】
画像データを水平方向及び垂直方向に表示する表示部と、
他画像表示装置から出力された所定の位置情報信号の入力の有無を検出する検出部と、
前記検出部による検出結果に応じて自画像表示装置から位置情報信号を出力するか否かを指示する信号出力制御部と、
前記信号出力制御部が位置情報信号を出力するよう指示している場合に位置情報信号を出力する信号出力部と、
前記検出部による検出結果に応じて前記表示部に対して垂直表示の向きの切り替えを指示する表示方向切替制御部と、
前記画像データを入力する画像データ入力部と、
前記検出部による検出結果に応じて画像ライン毎の送信順序を切り替えて、前記画像データ入力部が入力した画像データを前記表示部に対して送信する画像データ送信切り替え部と、
を備える画像表示装置を、
複数備え、かつ、
前記複数の画像表示装置を前記垂直表示の向きに複数並べることで構成されている
ことを特徴とする画像表示システム。
【請求項５】
画像データを水平方向及び垂直方向に表示する表示部と、
他画像表示装置から出力された所定の位置情報信号の入力の有無を検出する検出部と、
位置情報信号を出力するか否かを指示する信号出力制御部と、
前記信号出力制御部が位置情報信号を出力するよう指示している場合に位置情報信号を出力する信号出力部と、
前記画像データを入力する画像データ入力部と
を用い、
前記検出部による検出結果に応じて自画像表示装置から位置情報信号を出力するか否かを指示する過程と、
前記検出部による検出結果に応じて前記表示部に対して垂直表示の向きの切り替えを指示する過程と、
前記検出部による検出結果に応じて画像ラインの送信順序を切り替えて、前記画像データ入力部が入力した画像データを前記表示部に対して送信する過程と、
を含むことを特徴とする画像表示方法。
【手続補正２】
【補正対象書類名】明細書
【補正対象項目名】００１２
【補正方法】変更
【補正の内容】
【００１２】
また、本発明の一態様である画像表示方法は、画像データを水平方向及び垂直方向に表示する表示部と、他画像表示装置から出力された所定の位置情報信号の入力の有無を検出する検出部と、位置情報信号を出力するか否かを指示する信号出力制御部と、前記信号出力制御部が位置情報信号を出力するよう指示している場合に位置情報信号を出力する信号出力部と、前記画像データを入力する画像データ入力部とを用い、前記検出部による検出結果に応じて自画像表示装置から位置情報信号を出力するか否かを指示する過程と、前記検出部による検出結果に応じて前記表示部に対して垂直表示の向きの切り替えを指示する過程と、前記検出部による検出結果に応じて画像ラインの送信順序を切り替えて、前記画像データ入力部が入力した画像データを前記表示部に対して送信する過程と、を含むことを特徴とする。
【国際調査報告】
2014010059.tif 000010
2014010059.tif 000011